【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
メダルを第１位置から第２位置に向けて搬送するメダル搬送装置を備えるゲーム機であって、
前記メダル搬送装置が、
前記メダルの周面を案内する第１および第２案内面と、前記メダルの表裏面をそれぞれ案内する第３および第４案内面と、を有し、前記第１位置から前記第２位置に向けて延在するメダル案内通路と、
前記第１位置から前記第２位置に向かって所定の順に配置されると共に前記第３および第４案内面に略垂直な複数の回転軸線の回りをそれぞれ回転する複数の回転盤と、
前記メダル案内通路内に突出し、かつ、前記複数の回転盤上にそれぞれ設けられた、対応する前記回転軸線の回りを周回することにより前記メダルを押動する複数のメダル押動手段と、を有し、
前記複数の回転盤のうち隣接する一対の前記回転盤の一方が第１回転方向に回転すると共に他方が前記第1回転方向と相反する第２回転方向に回転し、かつ、前記一方の回転盤の前記メダル押動手段と前記他方の回転盤の前記メダル押動手段とが所定の回転位相差を保ちながら周回するよう前記一方の回転盤および前記他方の回転盤のそれぞれの回転位置が設定されると共に、前記第１および第２案内面が前記複数の回転軸線のそれぞれを中心とする複数の円弧を接続した曲線に沿って形成されるゲーム機。
【手続補正２】
【補正対象書類名】明細書
【補正対象項目名】００５６
【補正方法】変更
【補正の内容】
【００５６】
第１〜第８回転盤４０１〜４０８には、円柱状の外形状をそれぞれ有する一対の第１および第２メダル押動体４１１ａ〜４１８ａ、４１１ｂ〜４１８ｂがそれぞれ設けられている。すなわち、第１回転盤４０１の周辺部４２４において、第１回転盤４０１の表面４２２から突出する第１および第２メダル押動体４１１ａ、４１１ｂが設けられている。第１および第２メダル押動体４１１ａ、４１１ｂは第１回転軸２３１を挟んで対向して配置されており、換言すれば、第１および第２メダル押動体４１１ａ、４１１ｂは、第１回転盤４０１において第１回転軸線２２１を通る直線上に配置されている。第２〜第８回転盤４０２〜４０８についても、第１回転盤４０１と同様に、第２〜第８回転盤４０２〜４０８の周辺部４２４において、第２〜第８回転盤４０２〜４０８の表面４２２から突出する第１および第２メダル押動体４１２ａ〜４１８ａ、４１２ｂ〜４１８ｂがそれぞれ設けられている。第１および第２メダル押動体４１２ａ〜４１８ａ、４１２ｂ〜４１８ｂは第２〜第８回転軸線２２２〜２２８を挟んで対向して配置されており、換言すれば、第１および第２メダル押動体４１２ａ〜４１８ａ、４１２ｂ〜４１８ｂは、第２〜第８回転盤４０２〜４０８において第２〜第８回転軸線２２２〜２２８を通る直線上に配置されている。そして、第１〜第８回転盤４０１〜４０８が回転すると、第１および第２メダル押動体４１１ａ〜４１８ａ、４１１ｂ〜４１８ｂが第１〜第８回転軸線２２１〜２２８の回りを周回する。
【手続補正３】
【補正対象書類名】明細書
【補正対象項目名】００６２
【補正方法】変更
【補正の内容】
【００６２】
上記の構成を有するメダル押動機構４００は、ベース体２００の凹部２１６の内部に収納される。すなわち、第１〜第８回転盤４０１〜４０８および第１〜第８歯車４３１〜４３８が凹部２１６に収納される。第１〜第８回転盤４０１〜４０８のそれぞれの表面４２２は、ベース体２００の表面２０２とほぼ面一になるよう配置される。そのため、第１〜第８回転盤４０１〜４０８のそれぞれの表面４２２に設けられた第１および第２メダル押動体４１１ａ〜４１８ａ、４１１ｂ〜４１８ｂは、ベース体２００の表面２０２からの上方に向けて突出する。換言すれば、第１および第２メダル押動体４１１ａ〜４１８ａ、４１１ｂ〜４１８ｂは、メダル案内通路１１０内にそれぞれ突出する。したがって、第１および第２メダル押動体４１１ａ〜４１８ａ、４１１ｂ〜４１８ｂが周回すると、メダル案内通路１１０において、第１および第２メダル押動体４１１ａ〜４１８ａ、４１１ｂ〜４１８ｂがメダルの周面に接触しながら回転方向に沿って移動し、それによりメダルが押し動かされる。
【手続補正４】
【補正対象書類名】明細書
【補正対象項目名】００６３
【補正方法】変更
【補正の内容】
【００６３】
なお、上述したように、第１〜第８回転盤４０１〜４０８のそれぞれの表面４２２がベース体２００の表面２０２とほぼ面一になるよう配置されるので、表面４２２がメダル案内通路１１０の裏の案内面１１８と協働してメダルを案内するので、より円滑にメダルを搬送できる。
【手続補正５】
【補正対象書類名】明細書
【補正対象項目名】００８４
【補正方法】変更
【補正の内容】
【００８４】
図２０に示すように、第２回転盤４０２Ｂが有する発電手段６１１は、発電コイル６１２および磁石体６１３により構成される。第２歯車４３２の裏面側には開口６１４が形成され、その開口６１４内に発電コイル６１２および磁石体６１３が配置される。発電コイル６１２は、発光手段６０１のそれぞれに対応して配置される。磁石体６１３は、開口６１４内においてベース体２００Ｂの第１部材２０６に固定されると共に、第２回転軸線２２２に直角な方向にＮ極およびＳ極が配置される。発電コイル６１２は、磁石体６１３のＮ極およびＳ極間に配置されると共に、開口６１４内において第２歯車４３２に固定される。換言すれば、発電コイル６１２は、第２歯車４３２および第２回転盤４０２Ｂの回転に伴って、第２回転軸線２２２の回りを周回可能である。発電コイル６１２の一対の出力端子（図示せず）は、整流回路６１５を介して、対応する発光素子６０２の正および負の入力端子に電気的に接続されている。磁石体６１３のＮ極およびＳ極間に形成される磁束は、発電コイル６１２に供給され、この状態で発電コイル６１２が第２回転軸線２２２の回りを周回すると、発電コイル６１２に電力が発生する。発生した電力は、整流回路６１５により交流−直流変換されて、対応する発光素子６０２に供給される。それにより、発光素子６０２が発光する。第１回転盤４０１Ｂおよび第３〜第８回転盤４０３Ｂ〜４０８Ｂにおいても、第２回転盤４０２Ｂと同様に構成され、それぞれに設けられた発電手段６１１により対応する発光素子６０２が発光する。
【手続補正６】
【補正対象書類名】明細書
【補正対象項目名】００９８
【補正方法】変更
【補正の内容】
【００９８】
次に、射的ゲーム機ＧＭ６の動作について説明する。メダルホッパ装置６Ｅには、予め、通常メダルＮＭと、通常メダルＮＭに対して小径、かつ、高価値の特別メダルＳＭとが貯留されている。ゲームが開始されると、貯留されたメダルＮＭ、ＳＭはメダルホッパ装置６Ｅによりメダル搬送装置５Ｅに送り出され、メダル搬送装置５Ｅが的領域７０３にメダルＮＭ、ＳＭメダルを搬送する。的領域７０３において、メダルＮＭ、ＳＭはメダル搬送装置５Ｅにより上下に蛇行しながら移動される。遊技者は、射的銃７０２の銃口を上下左右に移動させながら、狙ったメダルＮＭ、ＳＭに対し弾丸を発射する。弾丸がメダルＮＭ、ＳＭに命中すると、そのメダルＮＭ、ＳＭが弾丸の衝撃力で前方に投げ出され、メダル受け容器７０５に落下する。落下したメダルＮＭ、ＳＭは、メダルシュート７０６を介して払出口７０７に払い出される。弾丸が命中しなかったメダルはメダル搬送装置５Ｅにより的領域７０３外に移動され、メダル払出口１０４から下方に落下し、メダルシュート７０９を介してメダル貯留容器７０８に放出される。
【手続補正７】
【補正対象書類名】明細書
【補正対象項目名】０１０３
【補正方法】変更
【補正の内容】
【０１０３】
図２５は、本発明の実施例８のメダルゲーム機ＧＭ８を示す。この実施例８のメダルゲーム機ＧＭ８は、複数のメダルゲーム台ＧＭＳ１〜ＧＭＳ６の集合体からなり、メダルゲーム台ＧＭＳ１〜ＧＭＳ６のそれぞれにおいて遊技者がゲームを行うことができる。メダルゲーム機ＧＭ８は、複数のメダル搬送装置８０１〜８０６と、メダル搬送装置８０１〜８０６のそれぞれに対応して設けられた複数のメダル振分装置８１０およびメダル識別装置８２０と、を備えている。複数のメダル搬送装置８０１〜８０６は、隣接するメダルゲーム台ＧＭＳ１〜ＧＭＳ６の間に配置されている。すなわち、メダルゲーム台ＧＭＳ１、ＧＭＳ６の間にはメダル搬送装置８０１が配置され、メダルゲーム台ＧＭＳ１、ＧＭＳ２の間にはメダル搬送装置８０２が配置されている。メダルゲーム台ＧＭＳ３、ＧＭＳ２の間にはメダル搬送装置８０３が配置され、メダルゲーム台ＧＭＳ３、ＧＭＳ４の間にはメダル搬送装置８０４が配置されている。メダルゲーム台ＧＭＳ５、ＧＭＳ４の間にはメダル搬送装置８０５が配置され、メダルゲーム台ＧＭＳ５、ＧＭＳ６の間にはメダル搬送装置８０６が配置されている。
【手続補正８】
【補正対象書類名】明細書
【補正対象項目名】０１１７
【補正方法】変更
【補正の内容】
【０１１７】
メダル搬送装置５ＫＢは、メダル振分装置８１０の左払出口８１１から放出されたメダルＮＭ、ＳＭをメダル搬送装置５ＫＢのメダル受入口１０２からメダル払出口１０４に移動させる機能を有する。メダル搬送装置５ＫＢのメダル払出口１０４に移動されたメダルＮＭ、ＳＭは、そのメダル払出口１０４に接続されたメダルシュート７ＫＢを介して第１ゲーム領域ＧＦ１の上部に放出される。メダル搬送装置５ＫＢのメダル受入口１０２の近傍には、メダルセンサ１２１が配置されている。メダルセンサ１２１によりメダルＮＭ、ＳＭが検出された場合、メダル搬送装置５ＫＢの電気モータ５０２（図４）が作動する。メダルセンサ１２１によるメダルＮＭ、ＳＭの検出が所定時間ない場合、メダル搬送装置５ＫＢの電気モータ５０２の作動が停止される。これにより、電力消費量を抑制できる。また、それぞれに回転駆動装置を有する２つのメダル搬送装置５ＫＡ、５ＫＢによりメダルＮＭ、ＳＭが搬送されるため、図１のメダル搬送装置５Ａに比べて駆動負荷が軽減される利点もある。
【手続補正９】
【補正対象書類名】明細書
【補正対象項目名】０１１８
【補正方法】変更
【補正の内容】
【０１１８】
メダル搬送装置５ＫＣは、メダル振分装置８１０の右払出口８１２から放出されたメダルＮＭ、ＳＭをメダル搬送装置５ＫＣのメダル受入口１０２からメダル払出口１０４に移動させる機能を有する。メダル搬送装置５ＫＣのメダル払出口１０４に移動されたメダルＮＭ、ＳＭは、そのメダル払出口１０４に接続されたメダルシュート７ＫＢを介して第１ゲーム領域ＧＦ１においてスルーチャッカ１４Ｂの近傍に放出される。メダル搬送装置５ＫＢと同様に、メダル搬送装置５ＫＣのメダル受入口１０２の近傍には、メダルセンサ１２１が配置されている。メダルセンサ１２１によりメダルＮＭ、ＳＭが検出された場合、メダル搬送装置５ＫＣの電気モータ５０２（図４）が作動する。メダルセンサ１２１によるメダルＮＭ、ＳＭの検出が所定時間ない場合、メダル搬送装置５ＫＣの電気モータ５０２の作動が停止される。